(57)【要約】【課題】ロック構造体の操作時にロック部材に傷が付くことを防止し、ロック構造体の摩耗および外観の悪化を回避する。【解決手段】ロック構造体は、筺体と該筺体に着脱自在なカバーとをロックするロック状態と、該ロックを解除する解除状態と、に切り換えられる。ロック構造体は、筺体およびカバーのうちの一方に設けられた係合部３２と、筺体およびカバーのうちの他方に設けられ、係合部３２と対応する係合部４４を有するロック部材４０と、を有する。ロック部材４０は、磁力によって該ロック部材４０を筺体またはカバーに対して回転可能および／または移動可能にする磁石４６を内蔵している。ロック部材４０の回転または移動によって係合部３２，４４同士が係合されたロック状態と、係合が解除された解除状態とに切り換えられる。【選択図】図４
2013002081.tif 000002
【特許請求の範囲】
【請求項１】
筺体と該筺体に着脱自在なカバーとをロックするロック状態と、該ロックを解除する解除状態と、に切り換えられるロック構造体であって、
前記筺体および前記カバーのうちの一方に設けられた係合部と、
前記筺体および前記カバーのうちの他方に設けられ、前記係合部と対応する係合部を有するロック部材と、を有し、
前記ロック部材は、磁力によって該ロック部材を前記筺体または前記カバーに対して回転可能および／または移動可能にする磁石を内蔵し、
前記ロック部材の回転または移動によって前記係合部同士が係合された前記ロック状態と、係合が解除された前記解除状態とに切り換えられる、ロック構造体。
【請求項２】
前記ロック部材は、一面が前記筺体および前記カバーから露出するように配置されており、前記ロック部材の前記一面は平坦な面である、請求項１に記載のロック構造体。
【請求項３】
前記ロック部材は前記筺体または前記カバーに覆われて配置されている、請求項１に記載のロック構造体。
【請求項４】
前記ロック部材は、一面が前記筺体および前記カバーから露出するように配置されており、
前記ロック部材の前記一面に、前記ロック部材を操作する操作部材の先端の凸部に対応する形状の溝が形成されている、請求項１に記載のロック構造体。
【請求項５】
前記ロック部材は回転可能に構成されており、
前記磁石は、前記筺体の外面に向けられた前記ロック部材の一面に、Ｓ極とＮ極とを向けて配置されている、請求項１から４のいずれか１項に記載のロック構造体。
【請求項６】
前記ロック部材に内蔵された前記磁石のＳ極およびＮ極に対応するＮ極およびＳ極が前記操作部材の先端に面するように配置された磁石を備えた操作部材を有する、請求項５に記載のロック構造体。
【請求項７】
筺体と、
前記筺体に着脱自在なカバーと、
前記筺体と前記カバーとをロックするロック状態と、該ロックを解除する解除状態と、に切り換えられるロック構造体と、有する装置であって、
前記ロック構造体は、前記筺体および前記カバーのうちの一方に形成された係合部と、前記筺体および前記カバーのうちの他方に設けられ、前記係合部と対応する係合部を有するロック部材と、を有し、
前記ロック部材は、磁力によって該ロック部材を前記筺体または前記カバーに対して回転可能および／または移動可能にする磁石を内蔵し、
前記ロック部材の回転または移動によって前記係合部同士が係合された前記ロック状態と、係合が解除された前記解除状態とに切り換えられる、装置。
【請求項８】
筺体と該筺体に着脱自在なカバーとをロックするロック状態と、該ロックを解除する解除状態と、に切り換えられ、前記筺体および前記カバーのうちの一方に形成された係合部と、前記筺体および前記カバーのうちの他方に設けられ、前記係合部と対応する係合部を有するロック部材と、前記ロック部材に内蔵された磁石と、を有するロック構造体の操作方法であって、
前記磁石を、別の磁石を用いて回転および／または移動させて、前記筺体と前記カバーとをロックするロック状態と該ロックを解除する解除状態とに切り換えることを含む操作方法。
【発明の詳細な説明】
【技術分野】
【０００１】
本発明は、ロック構造体、ロック構造体を含む装置およびそれらの操作方法に関する。
【背景技術】
【０００２】
例えば携帯型の電子機器のような装置では、筺体に設けられた電池パックを覆うカバーが設けられている。カバーは、筺体に対して着脱自在に構成される。最近の携帯型の電子機器では、防水機能の維持のため、カバーは筺体からより外れ難い構造を有することが好ましい。
【０００３】
特許文献１には、人為的操作を与えない限り電池収容蓋部（カバー）が脱離せず、かつ、容易な操作により電池収容蓋部を取り外すことができる携帯型の電子機器が開示されている。この電子機器は、電子部品を収納するケーシング本体（筺体）と、ケーシングに着脱自在な電池収容蓋部と、を備えている。ケーシング本体と蓋部とのいずれか一方の部材に固定係合部が設けられており、他方の部材にロックノブが設けられている。ロックノブは、回転自在に構成されており、一方の部材の固定係合部との係合及びこの係合の解除が可能になっている。
【０００４】
ロックノブの上面、つまりケーシングの外面に露出した一面には、コインやドライバー等が挿入される凹部が形成されている。使用者は、ロックノブの凹部にコインやドライバー等を挿入してロックノブを回転させることで、ケーシングと蓋部とのロックおよびその解除をすることができる。
【先行技術文献】
【特許文献】
【０００５】
【特許文献１】特開２００１−５３８４７号
【発明の概要】
【発明が解決しようとする課題】
【０００６】
特許文献１に記載されているように、ロックおよびその解除の操作ためにドライバーを用いる場合、当該操作を繰り返す内にロックノブの表面に傷が付いたり、ロックノブの凹部が削れたり、ドライバーの先端部が削れたりすることがある。これは、ロックノブの凹部とドライバーの先端部との接触面積が小さく、ロックノブおよびドライバーに大きな負荷がかかることが原因である。
【０００７】
ドライバーの先端部の摩耗により、ロックおよびその解除の操作が困難になるという課題がある。また、ロックノブの表面の傷により、装置の外観が悪化してしまうという課題もある。
【０００８】
このような課題は、ドライバー等が挿入される凹部を有するロックノブを備えた任意のロック構造体について生じる。
【０００９】
本発明の目的は、上記課題に鑑み、ロック部材および／または操作部材に傷が付くことを防止し、装置の外観の悪化を回避できるロック構造体およびその操作方法を提供することにある。
【課題を解決するための手段】
【００１０】
本発明の一態様におけるロック構造体は、筺体と該筺体に着脱自在なカバーとをロックするロック状態と、該ロックを解除する解除状態と、に切り換えられる。ロック構造体は、筺体およびカバーのうちの一方に設けられた係合部と、筺体およびカバーのうちの他方に設けられ、上記係合部と対応する係合部を有するロック部材と、を有する。ロック部材は、磁力によって該ロック部材を筺体またはカバーに対して回転可能および／または移動可能にする磁石を内蔵している。ロック部材の回転または移動によって係合部同士が係合されたロック状態と、係合が解除された解除状態とに切り換えられる。
【００１１】
本発明の一態様における装置は、筺体と、筺体に着脱自在なカバーと、筺体とカバーとをロックするロック状態と、該ロックを解除する解除状態と、に切り換えられるロック構造体と、有する。ロック構造体は、筺体およびカバーのうちの一方に形成された係合部と、筺体およびカバーのうちの他方に設けられ、上記係合部と対応する係合部を有するロック部材と、を有する。ロック部材は、磁力によって該ロック部材を筺体またはカバーに対して回転可能および／または移動可能にする磁石を内蔵している。ロック部材の回転または移動によって係合部同士が係合されたロック状態と、係合が解除された解除状態とに切り換えられる。
【００１２】
本発明の一態様における操作方法は、筺体と該筺体に着脱自在なカバーとをロックするロック状態と、該ロックを解除する解除状態と、に切り換えられ、筺体およびカバーのうちの一方に形成された係合部と、筺体およびカバーのうちの他方に設けられ、上記の係合部と対応する係合部を有するロック部材と、ロック部材に内蔵された磁石と、を有するロック構造体の操作方法に関する。本操作方法は、磁石を、別の磁石を用いて回転および／または移動させて、筺体とカバーとをロックするロック状態と該ロックを解除する解除状態とに切り換えることを含む。
【発明の効果】
【００１３】
ロック構造体の操作時にロック部材および／または操作部材に傷が付くことを防止することができ、その結果、ロック構造体の摩耗および外観の悪化が回避される。
【図面の簡単な説明】
【００１４】
【図１】第１の実施形態における携帯型の電子機器の概略斜視図である。
【図２】電子機器に備えられたロック部材と、操作部材と、を示す概略斜視図である。
【図３】ロック部材および操作部材の概略側面図である。
【図４】ロック部材および操作部材の概略断面図である。
【図５】ロック部材および操作部材に備えられた磁石を示す模式図である。
【図６】第２の実施形態におけるロック部材および操作部材を示す概略断面図である。
【発明を実施するための形態】
【００１５】
以下、本発明の実施形態について図面を参照して説明する。下記実施形態では、携帯型の電子機器を例に挙げて説明するが、本発明のロック構造体およびその操作方法は、様々な装置に適用出来る。例えば、本発明は、携帯電話機、ゲーム機、タブレット型パソコンおよびノートパソコンなど、筺体とカバーとをロックするロック構造体を備えた装置全般に適用可能である。
【００１６】
図１は、第１の実施形態における携帯型の電子機器の斜視図を示している。電子機器１０は、筺体２０と、カバー３０と、ロック部材４０とを備えている。筺体２０は、電子機器を構成する回路基板や電池パック等を収納する。カバー３０は、筺体２０に着脱自在に構成されており、筺体２０に設けられた電池パックもしくは別の部品を覆う。
【００１７】
電子機器１０は、筺体２０と該筺体に着脱自在なカバー３０とをロックするロック状態と、そのロックを解除する解除状態と、に切り換えられるロック構造体を有している。ロック構造体は、筺体およびカバーのうちの一方に設けられた係合部３２とロック部材４０とを有する。
【００１８】
図２は、ロック構造体を構成するロック部材４０と、ロック構造体を操作する操作部材６０と、を示す概略斜視図である。図３はロック部材４０および操作部材６０の概略側面図であり、図４はロック部材４０および操作部材６０の概略断面図である。
【００１９】
筺体２０またはカバー３０のいずれか一方の部材にロック部材４０が設けられており、他方の部材に係合部３２が形成されている。図４に示す例では、ロック部材４０はカバー３０に設けられており、筺体２０に係合部３２が形成されている。これに代えて、ロック部材４０が筺体２０に設けられており、カバー３０に係合部３２が形成されていても良い。
【００２０】
ロック部材４０は、筺体２０およびカバー３０に対して回転可能に構成されている。ロック部材４０は、筺体２０の係合部３２に対応する係合部４４を有している。ロック部材４０の回転軸Ｒ周りの回転にともない、ロック部材の係合部４４の位置は変わる。ロック部材の係合部４４の位置に応じて、筺体２０とカバー３０とがロックされたロック状態と当該ロックが解除された解除状態とに切り換わる。
【００２１】
ロック部材４０の係合部４４が筺体２０の係合部３２と係合してロック構造体がロック状態になり、カバー３０が筺体２０に固定される。ロック部材４０の係合部４４と筺体２０の係合部３２との係合が解除されてロック構造体が解除状態になり、カバー３０が筺体２０から取り外し可能になる。
【００２２】
図４に示す例では、ロック部材４０の係合部４４が筺体２０の係合部３２に嵌合して、筺体２０とカバー３０とがロックされている。ロック部材４０およびその係合部４４は、筺体２０とカバー３０とのロックおよびその解除が可能であれば、どのような形状であっても良い。
【００２３】
本実施形態のロック部材４０は、磁力によって該ロック部材４０を筺体２０またはカバー３０に対して回転可能にする磁石４６を内蔵している。磁石４６は、ロック部材４０の、筺体の外面に向けて配置された一面４０ａ付近に位置している。操作部材６０は、取手部６４と、ロック部材の操作用の磁石６６を有している。磁石６６は、操作部材の先端部６２に収納されている。操作部材６０は、磁石４６，６６の引力および斥力を利用してロック部材４０を操作する。
【００２４】
図５は、ロック部材４０に設けられた磁石４６、および操作部材６０に設けられた磁石６６の構成の詳細な一例を示している。ロック部材４０に設けられた磁石４６は、ロック部材の、筺体２０の外面に向けられた一面４０ａに、Ｓ極とＮ極とを向けて配置されている。操作部材６０の磁石６６は、ロック部材の磁石４６のＳ極およびＮ極に対応するＮ極およびＳ極を、操作部材の先端６２に面するように配置されている。
【００２５】
このロック構造体を操作する際には、まず操作部材６０をロック部材４０に近づける。ロック部材４０内の磁石４６のN極と操作部材６０内の磁石６６のＳ極、およびロック部材４０内の磁石４６のＳ極と操作部材６０内の磁石６６のＮ極とが互いに引き合い、操作部材６０がロック部材４０に密着する。
【００２６】
そして、操作部材６０をロック部材４０の回転軸Ｒ周りに回転させると、両方の磁石４６，６６の磁力によりロック部材４０も回転する。このように、ロック部材４０は、空転を起こすことなく回転することができる。
【００２７】
このように、ロック構造体の操作に磁力を用いることで、操作の際にロック部材４０および操作部材６０にかかる機械的な圧力は低下する。したがって、ロック部材４０および操作部材６０への傷または摩耗が防止され、傷に起因する電子機器１０の外観の悪化が回避される。
【００２８】
ロック部材４０は、図１に示すように、一面４０ａが筺体２０およびカバー３０の外面に露出するように配置されていても良い。本実施形態では、ロック部材４０の当該一面４０ａは、溝部の無い平坦な面である。ロック部材４０の一面４０ａが平坦な面である場合、電子機器のデザイン性を向上させることができるという利点がある。
【００２９】
ロック部材４０は、筺体２０およびカバー３０から露出せず、筺体２０またはカバー３０に覆われていても良い。この場合でも、磁力によってロック構造体を操作することができる。この場合、電子機器１０の表面にロック部材４０が露出しないため、電子機器１０のデザイン性をさらに向上させることができる。
【００３０】
図６は、第２の実施形態におけるロック部材４０および操作部材６０の概略断面図を示している。筺体２０およびカバー３０の構造は、第１の実施形態と同様であるため説明を省略する。
【００３１】
ロック部材４０および操作部材６０は、第１の実施形態と同様に磁石４６，６６を有している。ロック部材４０は、その一面４０ａが筺体２０およびカバー３０から露出するように配置されている。このロック部材の一面４０ａに溝部４８が形成されている。操作部材６０の先端には、この溝部４８に対応する形状の凸部６８が形成されている。
【００３２】
ロック構造体の操作の際、操作部材６０の先端の凸部６８がロック部材４０の溝部４８に嵌合される。ロック構造体は、磁石４６，６６による磁力と機械的な力との協働により操作される。磁力を利用するため、溝部４８が浅くても良く、電子機器のデザイン性が向上する。また、磁力を利用するため、ロック部材４０および／または操作部材６０にかかる機械的な力は弱く、これらの部材４０，６０への傷または摩耗を防止することが出来る。また、磁力のみで操作されるわけではないため、比較的弱い磁力の磁石４６，６６を用いてロック構造体を実現することも可能である。
【００３３】
上記の実施形態では、ロック部材４０は回転軸Ｒまわりに回転自在に構成されている。これに限らず、ロック部材４０は、筺体２０およびカバー３０に対して磁力により回転および／または移動自在に構成されていれば良い。例えば、ロック部材４０が、筺体２０およびカバー３０に対してスライドする形態が考えられる。この場合にも、ロック部材４０の移動に伴ってロック部材４０の係合部４４の位置が変わるため、筺体２０とカバー３０のロックおよびその解除を行うことができる。
【００３４】
以上、本発明の望ましい実施形態について提示し、詳細に説明したが、本発明は上記実施形態に限定されるものではなく、要旨を逸脱しない限り、さまざまな変更及び修正が可能であることを理解されたい。
【符号の説明】
【００３５】
１０    電子機器
２０    筺体
３０    カバー
３２，４４    係合部
４０    ロック部材
４６，６６    磁石
４８    溝部
６０    操作部材
６８    凸部
【図１】
2013002081.tif 000003
【図２】
2013002081.tif 000004
【図３】
2013002081.tif 000005
【図４】
2013002081.tif 000006
【図５】
2013002081.tif 000007
【図６】
2013002081.tif 000008